(57)【要約】【課題】  大津波発生時において高齢者や子供等であっても容易に短時間で避難することができ、簡単な構造で安価に構築することを可能とするシェルターハウスを提供することを課題とする。【解決手段】  概ね枡形状をした底部鋼板の内部に発泡スチロールを設置して浮力室を構成し、浮力室の上部に屋根・外壁の断面形状を砲弾形に成形して復元力があるハウスを構築し、屋根・外壁の鋼板の室内側に合板を取付け、室内に船外機とバッテリーを設置した津波救命シェルターハウスを提供する。【選択図】図３
2015200164.tif 000002
【特許請求の範囲】
【請求項１】
概ね枡形状をした底部鋼板の内部に発泡スチロールを設置して浮力室を構成し、浮力室の上部に屋根・外壁の断面形状を砲弾形に成形し復元力があるハウスを構築し、屋根・外壁の鋼板の室内側に合板を取付け、室内に船外機とバッテリーを設置したことを特徴とする津波救命シェルターハウス。
【請求項２】
室内に、津波救命シェルターハウスが転倒しても人体を保持するため、概ねＬ型に構成したパイプの複数個所にウェビングを引掛け、ウェビングの一端をコキに通し、ウェビングに取付けた引掛け金具を床に取付けた取付金具に引掛け、ウェビングの長さをコキで調整するように構成した人体保護パイプを、足を折り曲げ座った人間の腹と足の付け根部分に配置したことを特徴とする請求項１に記載の津波救命シェルターハウス。
【請求項３】
室内に、水洗トイレ、簡易キッチン、エアコンを完備したことを特徴とする請求項１乃至２のいずれか１項に記載の津波救命シェルターハウス。
【発明の詳細な説明】
【技術分野】
【０００１】  この発明は、平時には人が住居（勉強部屋、事務所等）として活用し、大地震による大津波発生時には、大津波の水の勢いでシェルターハウスが水面に浮上し、シェルターハウスに取付けた船外機を稼動させて安全に避難するためのシェルターハウスの構造に関するものである。
【背景技術】
【０００２】  平成２３年３月１１日に発生した東日本大震災と、それに伴って発生した大津波により亡くなった死者と行方不明者の合計は２万人以上にも及び、今後も、東海トラフ地震等の大地震や大津波が発生するおそれのあることが指摘されており、災害時に自ら救命するための対策を準備しておくことが不可欠になっている。【０００３】  大地震が発生した際、津波災害に遭遇しないためには、いち早く安全な高台等に避難することが必要であるが、震源地が近い時や、高台の無い沿岸部で生活している人にとっては高いビルや高台等へ避難する時間的余裕がなく、特に、高齢者など足腰が弱い人の場合には、大地震発生から大津波が到達するまでの短時間の間に、ビル等の長い階段を上って高い位置にある屋上へと避難するのは非常に大変なことであり、また、車で避難する場合には交通渋滞等により避難場所までの移動が困難な状況となり、避難途中に津波に巻き込まれて死亡する危険性が高かった。【０００４】  さらに、昨年８月に示された南海トラフ巨大地震の被害想定では、死者は最大３２万人、建物全壊は２３８万棟と見込まれたことから、鉄骨構造で十数メートルの高さのタワー型避難台の建築も提案されている。しかし高齢者などが短時間の内に十数メートルの高さの階段を登ることが出来るかどうか疑問も残ると共に、津波の高さが十数メートル以内であるかどうかの保証も無いため、普及する段階まで至っていない。【０００５】  このような実情に鑑みて、大津波発生時において短時間で避難できる簡易なシェルターが、例えば特許文献１で提案されている。これは家屋に対して一体に付設されて該家屋からの出入が可能なシェルターであって、大津波来襲時において家屋からシェルターを分離させるための分離手段と、家屋から分離させたシェルターを密閉する密閉手段とを具備し、家屋から分離させた状態において水に浮くシェルターであった。【０００６】  しかしながら、特許文献１は、家屋全体が高波に飲み込まれてしまうと、シェルターも家屋に押しつぶされて水面に浮上することができない恐れがあると共に、シェルター自体が水面に対して水平を保って上昇出来ない可能性があり、シェルターが大津波に飲み込まれて横転したり転覆したりして避難者が負傷する恐れがあるため、津波避難用のシェルターとしては問題が残った。【０００７】  さらに、例えば特許文献２では、建物の屋根部が密閉空間を有するシェルターで形成され、該シェルターが居住部の上方に配置された構造で、上部を屋根形状に形成すると共に、下部を略船底形状に形成した密閉可能なシェルターで、居住部とシェルターとが取付手段を介して固定され一体化しているシェルターであった。【０００８】  しかしながら、特許文献２は、密閉空間を有するシェルターのため、平常時に居住空間として使用するには、採光、通風の面で問題が残ると共に、大きな津波が押し寄せて来た際には、シェルターが大津波に巻き込まれ、シェルターが横転したり転覆してしまう危険性があった。【０００９】  さらに、地中固定された支柱に連結した油圧シリンダーの駆動により避難タワーを昇降させる技術が、例えば特許文献３で提案されているが、昇降可能の高さを超えた大津波が押し寄せてきた場合の対策として��不十分であった。
【先行技術文献】
【特許文献】
【００１０】
【特許文献１】特開２００７−２７７９９８
【特許文献２】特開２０１２−２３３３０６
【特許文献３】特開２００６−１１２０８８
【発明の概要】
【発明が解決しようとする課題】
【００１１】  本発明は、上記した従来技術の問題点を解決すべくなされたもので、大津波発生時において高齢者や子供等であっても容易に短時間で避難することができ、簡単な構造で安価に構築することを可能とするシェルターハウスを提供することを課題とする。【００１２】  さらに、本発明の津波救命シェルターハウスを大津波の避難用として使用することは極めて稀であり、そのため、平時においては、一般的な住宅と同様に生活するための住居（勉強部屋、事務所等）として活用することを前提とし、大津波に遭遇した場合でも水の勢いでシェルターハウスが水面に浮上し、どのような高い大津波にも対応できる避難所を提供することを課題とする。【００１３】  さらに、平成２３年３月１１日に発生した東日本大震災で問題となった、津波が海岸から沖合に向かって進行する引き波により、シェルターハウスが沖合いまで流された場合も、自力で陸地まで戻ることを可能とするシェルターハウスを提供することを課題とする。
【課題を解決するための手段】
【００１４】  かかる課題を解決するため、請求項１に記載の発明は、概ね枡形状をした底部鋼板の内部に発泡スチロールを設置して浮力室を構成し、浮力室の上部に屋根・外壁の断面形状を砲弾形に成形し復元力があるハウスを構築し、屋根・外壁の鋼板の室内側に合板を取付け、室内に船外機とバッテリーを設置したことを特徴とする。【００１５】  請求項２に記載の発明は、請求項１に記載の構造に加え、室内に、津波救命シェルターハウスが転倒しても人体を保持するため、概ねＬ型に構成したパイプの複数個所にウェビングを引掛け、ウェビングの一端をコキに通し、ウェビングに取付けた引掛け金具を床に取付けた取付金具に引掛け、ウェビングの長さをコキで調整するように構成した人体保護パイプを、足を折り曲げ座った人間の腹と足の付け根部分に配置したことを特徴とする。【００１６】  請求項３に記載の発明は、請求項１乃至２のいずれか１項に記載の構造に加え、室内に、水洗トイレ、簡易キッチン、エアコンを完備したことを特徴とする。
【発明の効果】
【００１７】  請求項１に記載の発明によれば、概ね枡形状をした底部鋼板の内部に発泡スチロールを設置して浮力室を構成し、浮力室の上部に屋根・外壁の断面形状を砲弾形に成形し復元力があるハウスを構築し、屋根・外壁の鋼板の室内側に合板を取付け、室内に船外機とバッテリーを設置したことにより、水中に長時間沈めても表面に水が付着するだけで、吸水量が非常にわずかな発泡スチロールを鋼板で囲い、ハウスを水面に浮かせるための浮力材として活用したため、簡単な構造と安価な費用で、大津波の上に浮くハウスを構築することが可能になると共に、平時においては勉強部屋や事務所として活用し、大地震で大津波が押し寄せてきた際には、ハウスの室内に避難することにより、大津波でハウスが水面に持ち上げられ、ハウスが沖合いに流された場合においても、室内に設置した船外機により、単独で無事に陸地まで戻ってくることが可能となった。【００１８】  請求項２に記載の発明によれば、室内に、津波救命シェルターハウスが転倒しても人体を保持するため、概ねＬ型に構成したパイプの複数個所にウェビングを引掛け、ウェビングの一端をコキに通し、ウェビングに取付けた引掛け金具を床に取付けた取付金具に引掛け、ウェビングの長さをコキで調整するように構成した人体保護パイプを、足を折り曲げ座った人間の腹と足の付け根部分に配置したことにより、津波救命シェルターハウスが大津波により横転した場合でも、室内に避難した人間の腹と足の付け根部分に配置した人体保護パイプにより人間が床に押し付けられた状態となり、津波救命シェルターハウスが横転した場合でも人が床から滑り落ちることなく安全に避難することが可能となった。【００１９】  請求項３に記載の発明によれば、室内に、水洗トイレ、簡易キッチン、エアコンを完備したことにより、平時において、勉強部屋や事務所として活用することが可能となった。
【実施例】
【００２０】  以下、この発明の実施の形態について説明する。
［発明の実施の形態］【００２１】  図１乃至図６には、この発明の実施の形態を示す。【００２２】  図１は、本発明の津波救命シェルターハウスの底部に配置する底部鋼板２７と、底部鋼板２７の内部に補強のために取付ける枠材１０と、枠材１０の中に収納して浮力材としての役割を果たす発泡スチロール９と、枠材１０の上に構築するハウス１を、それぞれ立体図で示す。【００２３】  底部鋼板２７は、底部を平板で長方形に成形し、後部を台形状に斜めに切断した底鋼板３０で形成し、底鋼板３０の両側には平板状の横鋼板２９、３４を垂直に取付け、さらに横鋼板２９、３４の前端の開口部には平板状の前部鋼板２８を垂直に取付け、さらに台形状に斜めに切断した底鋼板３０の後部に、平板状の後部鋼板３２を垂直に取付けると共に、斜めに切断した部分に平板状の斜め鋼板３１、３３を垂直に取付けることにより底部鋼板２７が構成され、さらに、その底部鋼板２７の中に、角部を、鋼材で立方体に成形した柱１１、１４、１７、１８、２１、２４を配置し、柱と柱の間の空間の上部には、角形鋼管で上梁１２、１５、３５、２０、２２、２５を取付け、柱と柱の間の空間の下部には、角形鋼管で下梁１３、１６、３６、１９、２３、２６を取付けることにより枠材１０が構成される。さらに枠材１０の中には浮力材としての役割を果たす発泡スチロール９が配置されることにより浮力室が構成される。なお、発泡スチロール９の中に、あらかじめ船外機・バッテリーを収納するための空間を作ることにより、図２で示す、船外機・バッテリーを収納するための船外機・バッテリー収納庫４２が床下に設置され、室内空間を有効に利用することが可能となった。【００２４】  このように構成した浮力室の上部に、屋根・外壁２の断面形状を砲弾形に構成したハウス１を構築することにより、大津波で津波救命シェルターハウスが横転した場合でも直ちに復元して元の状態に戻ることが可能になると共に、さらに、平時に本発明の津波救命シェルターハウスを勉強部屋や事務所として活用するため、屋根・外壁２を鋼板で成形し室内側に合板を取付け、人間がハウス１に出入りする出入口３７に出入口ドア７を取付け、出入口ドア７に窓６を取付け、屋根・外壁２の両側面にも窓３を取付け、さらに、出入口３７には庇４を取付け、デッキ３８には大津波により漂流した際、船外機を取付けるための角形パイプで成形した船外機取付金具５を取付ける。なお本発明の津波救命シェルターハウスに使用する各部品の鋼材、ボルト等には、津波救命シェルターハウスを海の近くの沿岸部に設置することが多いため、長期にわたり錆び等が発生せずメンテナンスが不要のステンレス鋼材を使用する。【００２５】  図２は、図１で説明した底部鋼板２７の中に、枠材１０を嵌め込み固定し、さらに枠材１０の中に発泡スチロール９を配置し、浮力室４１を構築した状態を示す。【００２６】  図３は、図２で説明した浮力室４１の上部にハウス１を構築した津波救命シェルターハウス４３が、大津波で沖合いに流され、船外機取付金具５に船外機４５を取付けた状態を示す。このように構成することにより、津波救命シェルターハウス４３が漂流して、電柱や建物等に衝突して津波救命シェルターハウス４３の一部が損傷した場合でも、底部鋼板２７を鋼板で構成し、浮力材に発泡スチロール９を使用したことにより、浮力室４１の底部鋼板２７が損傷したり一部が破損したような場合でも発泡スチロール９は水をほとんど吸収しないため、津波救命シェルターハウス４３は水中に沈むことなく安全に避難することが可能となった。さらに津波救命シェルターハウス４３の床下の船外機・バッテリー収納庫４２に船外機４５とバッテリーを配置しておくことにより、大津波で沖合いまで流された際にも、容易に船外機取付金具５に船外機４５を設置することが可能となり、大津波で津波救命シェルターハウス４３が沖合に流された場合でも、単独で無事に陸地に戻って来ることが可能になった。なお、当社の実験データーでは約０．５馬力の電動船外機に５５Ａｈのバッテリーを装着してフルパワー（一般的な約０．５馬力の電動船外機には、スクリューの回転を低速から高速に切り替えることが出来るように１〜５段階の回転調整装置が船外機のハンドルに取付けられている）で船外機４５のプロペラを可動させた場合、少なくとも４０分間フルパワーで連続運転させることが確認できた。【００２７】  図４は、津波救命シェルターハウス室内５１に設置する人体保護パイプ５３を示す。人体保護パイプ５３は、Ｌ形パイプ４９と、ウェビング６６（ベルト）と、コキ５７と、引掛け金具６７で構成され、引掛け金具６７は、拡大図に示すように、概ねＪ型をした鋼板で、ウェビング６６（ベルト）を通すための横長のウェビング通し穴６０と、さらに、床合板６５の取付金具収納部５９に取付けた取付金具５８（丸環ボルト）を引掛けやすくするため取付金具挿入口６４を半円形状に成形し、丸形をした引掛け穴６２の入口には、引掛け穴６２に引掛けた取付金具５８が容易に抜け落ちないよう、左右に鋭角状の抜け防止６１、６３が成形される。人体保護パイプ５３のＬ形パイプ４９は、概ね、厚さ１ｍｍ、縦１００ｍｍ、横１００ｍｍ、長さ３ｍのＬ形鋼板の折曲部先端を、さらに略Ｌ形状（長さ３０ｍｍ、横１５ｍｍ、折曲部１０ｍｍ）に折り曲げ、コの字形の折曲部５４、５５を成形し、床合板６５には枡型で内部に取付金具５８が固定された取付金具収納部５９を設置し、このように構成したＬ形パイプ４９を、津波救命シェルターハウス室内５１の前部３９に向かって複数の人間５２が足を折り曲げ横並びして座った腹と足の付け根部分に配置し、Ｌ形パイプ４９の両端と中間部の複数個所に、一端を輪形状に形成したウェビング６６の輪を引掛け、他端をウェビング６６をコキ５７に通し、さらに引掛け金具６７のウェビング通し穴６０にウェビング６６を通したあと、再びコキ５７にウェビング６６を通し、引掛け金具６７の引掛け穴６２を取付金具収納部５９に取付けた取付金具５８に引掛け、つづいてコキ５６に通したウェビング端５６を引っ張り、ウェビング６６の長さをＬ形パイプ４９が腹と足の付け根部分に密着するように調整し、指をＬ形パイプ４９の折曲部５４と折曲部５４の間の引掛け部６８に挿入してＬ形パイプ４９を手で掴み、Ｌ形パイプ４９を手で引き寄せることにより、床合板６５に対して身体が密着して安定し、本発明の津波救命シェルターハウス４３が大津波により転倒した場合においても、人体保護パ���プ５３で身体を床に押し付けることにより、人間５２が床から滑り落ちることなく安全に避難することが可能となった。【００２８】  図５は、津波救命シェルターハウス４３に人間５２が避難し、足を折り曲げ座り人体保護パイプ５３を装着した状態を縦断面図で示す。津波救命シェルターハウス５１の床面から天井最上部までの高さは約２．７ｍ、出入口ドアから前部３９までの床の室内長さは約４．８ｍ、床の室内横幅は、図６に示すように約２．８ｍ、デッキ３８の前後の長さは約１ｍである。【００２９】  図６は、図５で説明した津波救命シェルターハウス４３の室内に人間５２が避難し、足を折り曲げ座り人体保護パイプ５３を装着した状態を平面図で示す。津波救命シェルターハウス室内５１には、出入口ドア７の室内側左右に簡易キッチン７１と水洗トイレ７３が設置されると共に、出入口ドア７の室内側上部にはエアコン７２を設置し、避難してきた人間が足を折り曲げ、前後７列、横６名（合計４２人）が整列し、足を折り曲げて床に座り、人体保護パイプ５３を座った腹と足の付け根部分に置き、身体を床に押し付けることにより、津波救命シェルターハウス４３が転倒した場合でも人間は人体保護パイプ５３により床に押し付けられた状態のため、人間５２が床から滑り落ちることなく安全に避難することが可能となった。【００３０】  以上、実施の形態に基づいて、本発明に係る津波救命シェルターハウスについて詳細に説明してきたが、本発明は、以上の実施の形態に限定されるものではなく、発明の趣旨を逸脱しない範囲において各種の改変をなしても、本発明の技術的範囲に属するのはもちろんである。【００３１】  図１において、屋根・外壁２を断面形状を砲弾形に構成すると説明したが、外壁の下側部分を垂直（床面より約６０ｃｍ）に構成し、その上に鋼板で断面形状が砲弾形の屋根を構築することも、もちろん可能である。
【図面の簡単な説明】
【００３２】
【図１】本発明の実施の形態に係る、津波救命シェルターハウスの各部材を分解した立体図で示す。
【図２】同実施の形態に係る、図１で説明した津波救命シェルターハウスの部材を組立てた状態を立体図で示す。
【図３】同実施の形態に係る、津波救命シェルターハウスが大津波により漂流して、船外機を取付けた状態を示す。
【図４】同実施の形態に係る、津波救命シェルターハウスの室内に設置する人体保護パイプを示す。
【図５】同実施の形態に係る、津波救命シェルターハウスに人間が避難した状態を縦断面図で示す。
【図６】同実施の形態に係る、図５で説明した津波救命シェルターハウスの室内部分を平面図で示す。
【符号の説明】
【００３３】１                  ハウス
２                  屋根・外壁
３                  窓
４                  庇
５                  船外機取付金具
６                  窓
７                  出入口ドア
８                  ドアハンドル
９                  発泡スチロール
１０                枠材
１１                柱
１２                上梁
１３                下梁
１４                柱
１５                上梁
１６                下梁
１７                柱
１８                柱
１９                下梁
２０                上梁
２１                柱
２２                上梁
２３                下梁
２４                柱
２５                上梁
２６                下梁
２７                底部鋼板
２８                前部鋼板
２９                横鋼板
３０                底鋼板
３１                斜め鋼板
３２                後部鋼板
３３                斜め鋼板
３４                横鋼板
３５                上梁
３６                下梁
３７                出入口
３８                デッキ
３９                前部
４１                浮力室
４２                船外機・バッテリー収納庫
４３                津波救命シェルターハウス
４４                水面
４５                船外機
４９                Ｌ形パイプ
５０                合板
５１                津波救命シェルターハウス室内
５２                人間
５３                人体保護パイプ
５４                折曲部
５５                折曲部
５６                ウェビング端
５７                コキ
５８                取付金具
５９                取付金具収納部
６０                ウェビング通し穴
６１                抜け防止
６２                引掛け穴
６３                抜け防止
６４                取付金具挿入口
６５                床合板
６６                ウェビング
６７                引掛け金具
６８                引掛け部
６９                Ｌ形パイプ装着装置
７０                窓
７１                簡易キッチン
７２                エアコン
７３                水洗トイレ
７４                トイレ仕切壁
【図１】
2015200164.tif 000003
【図２】
2015200164.tif 000004
【図３】
2015200164.tif 000005
【図４】
2015200164.tif 000006
【図５】
2015200164.tif 000007
【図６】
2015200164.tif 000008